(57)【要約】【課題】小型、軽量で破損や不適切な通電が生じにくい信頼性が高いイオントフォレーシス用電源ユニットを提供する。【解決手段】イオントフォレーシス用電源ユニット１０は、電池１２と、コネクタ１４と、これら電池１２及びコネクタ１４を支持する基板１６と、材料が樹脂のシート材で基板１６の外周に嵌合するように該基板１６、電池１２及びコネクタ１４を収容する筐体を構成し、且つ、コネクタ１４が相手コネクタ１８に結合するためのコネクタ用開口部２０Ａが形成されたカバー部材２０と、を備えている。【選択図】図１
2007307211.tif 000002
【特許請求の範囲】
【請求項１】
電池と、コネクタと、これら電池及びコネクタを支持する基板と、材料が樹脂のシート材で前記基板の外周に嵌合するように該基板、前記電池及び前記コネクタを収容する筐体を構成し、且つ、前記コネクタが相手コネクタに結合するためのコネクタ用開口部が形成されたカバー部材と、を備えることを特徴とするイオントフォレーシス用電源ユニット。
【請求項２】
請求項１において、
前記カバー部材は、帯電防止性を有することを特徴とするイオントフォレーシス用電源ユニット。
【請求項３】
請求項２において、
前記カバー部材は、その外側面に帯電防止処理が施され内側面は絶縁性であることを特徴とするイオントフォレーシス用電源ユニット。
【請求項４】
請求項１乃至３のいずれかにおいて、
前記電池及び前記基板の間に装着されて前記電池及び前記コネクタを絶縁し、且つ、その一部は前記カバー部材の外側に突出する被把持部であるシート状のスイッチ部材を更に備え、
前記カバー部材は、前記スイッチ部材が貫通するスイッチ部材用開口部と、該スイッチ部材用開口部の外側近傍において前記スイッチ部材の把持部の片面に接触又は近接するフランジ部と、を有することを特徴とするイオントフォレーシス用電源ユニット。
【請求項５】
請求項４において、
前記スイッチ部材の被把持部を指で把持するための切欠きが前記カバー部材のフランジ部に形成されたことを特徴とするイオントフォレーシス用電源ユニット。
【発明の詳細な説明】
【技術分野】
【０００１】
本発明は、電圧を印加することによって薬物イオンを生体に投与するイオントフォレーシスのための電源ユニットに関する。
【背景技術】
【０００２】
イオントフォレーシスは、薬物イオンを生体の皮膚や粘膜に投与するものであり、イオントフォレーシス装置は、生体の表面の形状に倣って撓むことができるように柔軟であることが好ましい。又、イオントフォレーシス装置は、生体への負担軽減等のため、軽量であることが好ましい。
【０００３】
このようなニーズに対し、薬液等がゲル状とされて塗布されたり、ガーゼ等に含浸されて薄膜状に成形され、全体として柔軟なシート状であるイオントフォレーシス装置が知られている。
【０００４】
又、イオントフォレーシス装置に接続される電源ユニットとしては交流を直流に変換してイオントフォレーシス装置に出力するものや、電池を備えるものが知られている。
【０００５】
電池を備える電源ユニットを用いれば、外部電源がない場所でも薬物イオンの投与を行うことができると共に交流を直流に変換する電源ユニットと比較して小型であるので持ち運びが容易である。このような電源ユニットとイオントフォレーシス装置を、例えば袋状の包装材に収容して携行すれば場所や時間の制約を殆ど受けることなく薬物イオンの投与を行うことが可能となり便利である。尚、例えばアルミニウムの袋状の包装材に電源ユニットとイオントフォレーシス装置を収容し、この中に窒素ガス等を封入すれば長期間の保存も可能である。
【０００６】
又、薬物イオンの投与時においても、電池を備える電源ユニットであればイオントフォレーシス装置と共に生体に取り付けて携行できるので、行動を制約されることなく薬物イオンの投与を受けることができるというメリットがある。
【０００７】
このような用途に使用するためには、電源ユニットも小型で軽量であることが好ましい。例えば、電池を備える電源ユニットとイオントフォレーシス装置とを一体に組合わせた構造とすれば、小型化や軽量化に寄与するとも考えられる（例えば、特許文献１、２参照）。
【０００８】
しかしながら、このように電源ユニットとイオントフォレーシス装置とを一体に組合わせた構造は、全体として剛性が高くなりやすくイオントフォレーシス装置が生体の表面の形状に倣って撓みにくくなる。
【０００９】
これに対し、イオントフォレーシス装置と導電線で接続されて使用される、イオントフォレーシス装置と別体の電源ユニットが知られている（例えば、特許文献３参照）。
【００１０】
このようなイオントフォレーシス装置と別体の電源ユニットを小型化、軽量化する構造としては、例えば電池、電子部品等を露出した状態で基板の上に取付ける構造が考えられる。
【００１１】
【特許文献１】特開２０００−２１９６２３号公報
【特許文献２】特開２００４−１８８１８８号公報
【特許文献３】特開２０００−３００６８２号公報
【発明の開示】
【発明が解決しようとする課題】
【００１２】
しかしながら、電池、電子部品等が露出していると、指等が電池、電子部品等に誤って接触することによる破損が懸念される。
【００１３】
又、電池や電子部品、基板の配線等が露出していると、電池や電子部品、配線等に水分やアルミニウムの包装材等が接触して不適切な通電が生じる可能性がある。
【００１４】
尚、例えば電源ユニットを充分な剛性を有する樹脂や金属のハードケースに収容すればこれらの問題を解決しうる。
【００１５】
しかしながら、このようなハードケースに電源ユニットを収容すると、電源ユニットやイオントフォレーシス装置を小型化、軽量化する効果が減殺されることとなる。
【００１６】
又、使用時においては電源ユニットがハードケースから取り出されるため、薬物イオンの投与時において指等が電池や電子部品等に誤って接触して電源ユニットが破損したり、電池や電子部品、配線等に水分等が接触して不適切な通電が生じる可能性がある。
【００１７】
更に、このようなハードケースを備えることでコストが増加するという問題もある。
【００１８】
この発明は、以上の問題点に鑑みてなされたものであって、小型、軽量で破損や不適切な通電が生じにくい信頼性が高いイオントフォレーシス用電源ユニットを提供することを目的とする。
【課題を解決するための手段】
【００１９】
本発明の実施形態例は、電池と、該電池に結線されたコネクタと、これら電池及びコネクタを支持する基板と、材料が樹脂のシート材で基板の外周に嵌合するように該基板、電池及びコネクタを収容する筐体を構成し、且つ、コネクタが相手コネクタに結合するためのコネクタ用開口部が形成されたカバー部材と、を備えるイオントフォレーシス用電源ユニットにより上記目的を達成する。
【００２０】
このイオントフォレーシス用電源ユニットは、電池及びコネクタがカバー部材で保護されるので、破損や不適切な通電が生じにくい。
【００２１】
更に、カバー部材にはコネクタ用開口部が形成されているのでカバー部材を装着した状態でイオントフォレーシス装置に接続できる。従って、薬物イオンの投与時においても電池及びコネクタはカバー部材で保護され、破損や不適切な通電が生じにくい。
【００２２】
又、カバー部材の材料は、樹脂のシート材であるので小型化、軽量化に寄与する。
【００２３】
尚、カバー部材は基板の外周に嵌合するように基板等を収容する筐体を構成する形状であるので、材料が樹脂のシート材でありながら指等の接触に対して実用上充分な剛性を確保できる。
【００２４】
又、カバー部材は、材料が樹脂のシート材であるので低コストである。
【００２５】
即ち、以下のような実施形態例により上記目的が達成される。
【００２６】
（１）電池と、コネクタと、これら電池及びコネクタを支持する基板と、材料が樹脂のシート材で前記基板の外周に嵌合するように該基板、前記電池及び前記コネクタを収容する筐体を構成し、且つ、前記コネクタが相手コネクタに結合するためのコネクタ用開口部が形成されたカバー部材と、を備えることを特徴とするイオントフォレーシス用電源ユニット。
【００２７】
（２）  （１）において、前記カバー部材は、帯電防止性を有することを特徴とするイオントフォレーシス用電源ユニット。
【００２８】
（３）  （２）において、前記カバー部材は、その外側面に帯電防止処理が施され内側面は絶縁性であることを特徴とするイオントフォレーシス用電源ユニット。
【００２９】
（４）  （１）乃至（３）のいずれかにおいて、前記電池及び前記基板の間に装着されて前記電池及び前記コネクタを絶縁し、且つ、その一部は前記カバー部材の外側に突出する被把持部であるシート状のスイッチ部材を更に備え、前記カバー部材は、前記スイッチ部材が貫通するスイッチ部材用開口部と、該スイッチ部材用開口部の外側近傍において前記スイッチ部材の把持部の片面に接触又は近接するフランジ部と、を有することを特徴とするイオントフォレーシス用電源ユニット。
【００３０】
（５）  （４）において、前記スイッチ部材の被把持部を指で把持するための切欠きが前記カバー部材のフランジ部に形成されたことを特徴とするイオントフォレーシス用電源ユニット。
【発明の効果】
【００３１】
この発明によれば、小型、軽量で破損や不適切な通電が生じにくい信頼性が高いイオントフォレーシス用電源ユニットを実現できる。
【発明を実施するための最良の形態】
【００３２】
以下、本発明の各種実施形態例について詳細に説明する。
【００３３】
(第１実施形態例)
図１及び図２に示されるように、本発明の第１実施形態例に係るイオントフォレーシス用電源ユニット１０は、電池１２と、コネクタ１４と、これら電池１２及びコネクタ１４を支持する基板１６と、材料が樹脂のシート材で基板１６の外周に嵌合するように該基板１６、電池１２及びコネクタ１４を収容する筐体を構成し、且つ、コネクタ１４が相手コネクタ１８に結合するためのコネクタ用開口部２０Ａが形成されたカバー部材２０と、を備えている。
【００３４】
更に、イオントフォレーシス用電源ユニット１０は、電池１２及び基板１６の間に装着されて電池１２及びコネクタ１４を絶縁し、且つ、その一部はカバー部材２０の外側に突出する被把持部２２Ａであるシート状のスイッチ部材２２を備えている。
【００３５】
又、イオントフォレーシス用電源ユニット１０は、電子部品２４Ａ、２４Ｂ、２４Ｃ、２４Ｄを備えている。
【００３６】
電池１２としては、例えばボタン電池や特開平１１−０６７２３６号公報、米国特許公開公報２００４／０１８５６６７Ａ１号公報、米国特許第６８５５４４１号公報等に開示される薄型の電池を使用することができる。
【００３７】
コネクタ１４は、一部がカバー部材２０のコネクタ用開口部２０Ａから突出し、カバー部材２０の外側において相手コネクタ１８と結合されるようになっている。相手コネクタ１８は導電線２６の一端に取付けられ、この導電線２６の他端はイオントフォレーシス装置２８に接続されている。尚、コネクタ１４は、そのハウジングの部分が雄となっており、相手コネクタ１８は、そのハウジングの部分が雌となっている。
【００３８】
イオントフォレーシス装置２８は、薬液等がゲル、ガーゼ等に含浸されて薄膜状に成形され、全体として柔軟なシート状とされている。尚、イオントフォレーシス装置２８の構成は本発明の実施形態例を理解するために重要とは思われないため、イオントフォレーシス装置２８の詳細な構成については説明を省略する。
【００３９】
基板１６は、例えばエポキシ樹脂等の絶縁性の薄板に銅箔等の所定の配線がプリントされたものである。尚、本第１実施形態例では基板１６は略矩形であるが、基板１６の形状は用途等に応じて例えば円形等の他の形状としてもよい。
【００４０】
カバー部材２０は、一面が開口する略直方体の箱部２１Ａと、この箱部２１Ａの開口部よりも大きい略長方形で該開口部を閉塞する基部２１Ｂと、が接着又は融着された構造で、基板１６、電池１２及びコネクタ１４を収容する筐体を構成している。尚、箱部２１Ａは、開口部の側壁の外周に小フランジ部が形成されており、該小フランジ部において基部２１Ｂと接着又は融着されている。
【００４１】
コネクタ用開口部２０Ａは、箱部２１Ａの側壁に形成されている。
【００４２】
又、図３に示されるように箱部２１Ａの他の側壁には、スイッチ部材２２が貫通するスイッチ部材用開口部２０Ｂが形成されている。
【００４３】
又、箱部２１Ａの小フランジ部及び基部２１Ｂにおける箱部２１Ａの側壁よりも外側の部分は、カバー部材２０のフランジ部２０Ｃを構成している。フランジ部２０Ｃは、スイッチ部材用開口部２０Ｂの外側近傍においてスイッチ部材２２の把持部２２Ａの片面に接触又は近接している。
【００４４】
図４に示されるようにフランジ部２０Ｃにおけるスイッチ部材２２の把持部２２Ａに対向する部分には、スイッチ部材２２の被把持部２２Ａを指で把持するための切欠き２０Ｄが形成されている。
【００４５】
又、フランジ部２０Ｃにおけるコネクタ１４に対向する部分には、コネクタ１４に相手コネクタ１８を結合するための切欠き２０Ｅが形成されている。
【００４６】
カバー部材２０の材料としてはＰＥＴ（ポリエチレンテレフタレート）等の樹脂のシート材を用いることができる。尚、カバー部材２０は、内部が見えないように着色等されていることが好ましい。カバー部材２０を構成する箱部２１Ａや基部２１Ｂの成形方法としては真空成形法等の公知の成形方法を用いることができる。尚、基部２１Ｂは、平坦なシート材料をプレスで所望の形状に切断して作製してもよい。
【００４７】
カバー部材２０は、帯電防止性を有している。カバー部材２０に帯電防止性を付与する手法としては、界面活性剤をカバー部材２０の原料のポリマーに混合する手法やイオン伝導型帯電防止剤でカバー部材２０の表面を被覆する手法等を挙げることができる。又、親水性ポリマー等でカバー部材２０の表面を被覆する手法や親水性モノマーを共重合又はグラフト重合してカバー部材２０の原料のポリマーを親水化する手法、親水性物質や親水性ポリマーをカバー部材２０の原料のポリマーに混合する手法等を挙げることもできる。更に、金属薄膜や導電性樹脂でカバー部材２０の表面を被覆する手法を挙げることもできる。尚、カバー部材２０の表面に帯電防止処理を施す場合、カバー部材２０の外側面に帯電防止処理を施し、カバー部材２０の内側面は絶縁性であることが好ましい。
【００４８】
スイッチ部材２２の把持部２２Ａはカバー部材２０の箱部２１Ａの側壁よりも外側に突出している。スイッチ部材２２は、被把持部２２Ａにおいて指等で把持されて引っ張られることにより、カバー部材２０のスイッチ部材用開口部２０Ｂを挿通して電池１２及び基板１６の間から取外されるようになっている。スイッチ部材２２の材料としては例えばＰＥＴ等の絶縁性の樹脂を用いることができる。イオントフォレーシス用電源ユニット１０は、スイッチ部材２２が電池１２及び基板１６の間から取外されることにより、基板１６の配線と電池１２とが電気的に接続されるようになっている。
【００４９】
電子部品２４Ａ、２４Ｂ、２４Ｃ、２４Ｄは抵抗等であり、所定の電気回路を構成している。尚、この電気回路の構成は本発明の実施形態例を理解するために重要とは思われないため、電気回路の詳細な構成については説明を省略する。
【００５０】
イオントフォレーシス用電源ユニット１０は、例えば図５に示されるような袋状の包装材３０に包装される。同様にイオントフォレーシス装置２８も袋状の包装材３１に包装される。包装材３０、３１の材料としては例えばアルミニウムのシートを用いることができる。尚、包装材３０、３１の中には窒素ガス等を封入するとよい。
【００５１】
次に本第１実施形態例の効果について説明する。
【００５２】
本第１実施形態例に係るイオントフォレーシス用電源ユニット１０は、電池１２、コネクタ１４、電子部品２４Ａ、２４Ｂ、２４Ｃ、２４Ｄがカバー部材２０で保護されているので、破損や不適切な通電が生じにくい。
【００５３】
更に、カバー部材２０にはコネクタ用開口部２０Ａが形成されているのでカバー部材２０を装着した状態でイオントフォレーシス装置２８に接続できる。従って、薬物イオンの投与時においても電池１２及びコネクタ１４はカバー部材２０で保護され、破損や不適切な通電が生じにくい。
【００５４】
又、カバー部材２０の材料は、樹脂のシート材であるので小型化、軽量化に寄与する。これにより、例えばイオントフォレーシス装置２８の使用時においてイオントフォレーシス装置２８の上部にイオントフォレーシス用電源ユニット１０を固定または載置しても、イオントフォレーシス用電源ユニット１０の重さに起因する、イオントフォレーシス装置２８からのイオントフォレーシス用電源ユニット１０の脱落や、接触不良を防止又は抑制できる。
【００５５】
尚、カバー部材２０は基板１６の外周に嵌合するように基板１６等を収容する筐体を構成する形状であるので、材料が樹脂のシート材でありながら指等の接触に対して実用上充分な剛性を確保できる。
【００５６】
更に、カバー部材２０はフランジ部２０Ｃを有しているので、この点でも剛性が高められている。
【００５７】
又、カバー部材２０は、材料が樹脂のシート材であるので低コストである。
【００５８】
又、カバー部材２０は、帯電防止性を有しているので静電気の発生が防止されており、塵芥等の付着が抑制される。
【００５９】
又、スイッチ部材２２はシート状の簡単な構造で低コストであり、且つ、カバー部材２０のフランジ部２０Ｃがスイッチ部材用開口部２０Ｂの外側近傍においてスイッチ部材２２の把持部２２Ａの片面に接触又は近接しているので、スイッチ部材２２は誤って取外されることがないように保護されている。
【００６０】
尚、スイッチ部材２２の被把持部２２Ａはカバー部材２０の箱部２１Ａの側壁よりも外側に突出し、更にフランジ部２０Ｃにおけるスイッチ部材用開口部２０Ｂの外側近傍の部分には切欠き２０Ｄが形成されているので、スイッチ部材２２の被把持部２２Ａを容易に指で把持することができる。
【００６１】
(第２実施形態例)
次に、本発明の第２実施形態例について説明する。
【００６２】
図６に示されるように、本第２実施形態例は、前記第１実施形態例に対し、ハウジングの部分が雄であるコネクタ１４に替えてイオントフォレーシス用電源ユニット１０側にハウシングの部分が雌であるコネクタ５０が備えられ、ハウジングの部分が雌である相手コネクタ１８に替えてイオントフォレーシス装置２８側にハウシングの部分が雄である相手コネクタ５２が備えられている。
【００６３】
コネクタ５０は、端面の位置が基板１６の外周とほぼ一致しており、コネクタ用開口部２０Ａから突出していない。
【００６４】
本第２実施形態例では、コネクタ５０がカバー部材２０の箱部２１Ａの側壁から突出することなくカバー部材２０に収容されるので、コネクタ５０に指等が誤って接触することによるイオントフォレーシス用電源ユニット１０の破損を更に抑制できると共にイオントフォレーシス用電源ユニット１０の一層の小型化に寄与する。
【００６５】
尚、前記第１及び第２実施形態例において、カバー部材２０のフランジ部２０Ｃに切欠き２０Ｄが形成されているが、この切欠きは省略してもよい。スイッチ部材２２はシート状であるので、このような切欠きがない場合でも、被把持部２２Ａが基板１６から離間する方向にスイッチ部材２２を反らせることで被把持部２２Ａを指で把持することが可能である。
【図面の簡単な説明】
【００６６】
【図１】本発明の第１実施形態例に係るイオントフォレーシス用電源ユニットの構造を模式的に示す斜視図
【図２】同イオントフォレーシス用電源ユニット及びこれに接続されるイオントフォレーシス装置を模式的に示す斜視図
【図３】同イオントフォレーシス用電源ユニットのスイッチ部材用開口部周辺の構造を模式的に示す側面図
【図４】同イオントフォレーシス用電源ユニットのスイッチ部材の被把持部周辺の構造を模式的に示す平面図
【図５】同イオントフォレーシス用電源ユニット及び前記イオントフォレーシス装置の包装形態の例を模式的に示す斜視図
【図６】本発明の第２実施形態例に係るイオントフォレーシス用電源ユニット及びこれに接続される相手コネクタを模式的に示す斜視図
【符号の説明】
【００６７】
１０…イオントフォレーシス用電源ユニット
１２…電池
１４、５０…コネクタ
１６…基板
１８、５２…相手コネクタ
２０…カバー部材
２０Ａ…コネクタ用開口部
２０Ｂ…スイッチ部材用開口部
２０Ｃ…フランジ部
２０Ｄ…切欠き
２１Ａ…箱部
２１Ｂ…基部
２２…スイッチ部材
２２Ａ…被把持部
２４Ａ、２４Ｂ、２４Ｃ、２４Ｄ…電子部品
２６…導電線
２８…イオントフォレーシス装置
３０、３１…包装材
【図１】
2007307211.tif 000003
【図２】
2007307211.tif 000004
【図３】
2007307211.tif 000005
【図４】
2007307211.tif 000006
【図５】
2007307211.tif 000007
【図６】
2007307211.tif 000008